(57)【要約】【課題】二重構造のリント捕獲部を備えるものにあって、リント捕獲部のフィルタの清掃性の向上を図る。【解決手段】本実施形態の衣類乾燥機は、本体内に設けられ衣類が収容される収容槽と、前記収容槽に対し乾燥風路を通して温風を循環供給させる温風供給装置と、前記乾燥風路中に設けられリントを捕獲するフィルタを備えたリント捕獲部と、前記フィルタの表面に沿って清掃部材を移動させることにより、該フィルタに堆積したリントを掻き取る清掃動作を実行するフィルタ清掃機構とを備え、前記リント捕獲部のフィルタは、メインフィルタ及びバックアップフィルタの二重構造を備えており、前記フィルタ清掃機構は、少なくとも前記メインフィルタの清掃を行うように構成されている。【選択図】図１
2017196271.tif 000002
【特許請求の範囲】
【請求項１】
本体内に設けられ衣類が収容される収容槽と、
前記収容槽に対し乾燥風路を通して温風を循環供給させる温風供給装置と、
前記乾燥風路中に設けられリントを捕獲するフィルタを備えたリント捕獲部と、
前記フィルタの表面に沿って清掃部材を移動させることにより、該フィルタに堆積したリントを掻き取る清掃動作を実行するフィルタ清掃機構とを備え、
前記リント捕獲部のフィルタは、メインフィルタ及びバックアップフィルタの二重構造を備えており、前記フィルタ清掃機構は、少なくとも前記メインフィルタの清掃を行うように構成されている衣類乾燥機。
【請求項２】
前記フィルタ清掃機構は、前記メインフィルタ及びバックアップフィルタの双方を同時に清掃するように構成されている請求項１記載の衣類乾燥機。
【請求項３】
前記清掃動作の移動可能範囲内に、リントを回収するためのリント回収部を有し、
該リント回収部には、前記清掃部材からリントを払い落とすための回収用ブラシが設けられている請求項１又は２記載の衣類乾燥機。
【請求項４】
前記清掃部材はブラシ状をなし、当該清掃部材を構成する植毛部の毛の硬さよりも、前記回収用ブラシの植毛部の毛の硬さの方が柔軟である請求項３記載の衣類乾燥機。
【請求項５】
前記回収用ブラシは、前記清掃部材から払い落とされたリントが、前記リント回収部に落下する方向に傾斜して配置されている請求項３又は４記載の衣類乾燥機。
【請求項６】
前記フィルタの目詰り状態を判定する目詰り判定手段と、
前記目詰り判定手段の判定に基づいて、前記フィルタ清掃機構により清掃動作を自動で実行させる制御手段とを備える請求項１から５のいずれか一項に記載の衣類乾燥機。
【請求項７】
前記清掃部材はブラシ状をなし、該清掃部材を構成する植毛部の毛の太さは、前記フィルタの網目の大きさよりも大きい請求項１から６のいずれか一項に記載の衣類乾燥機。
【発明の詳細な説明】
【技術分野】
【０００１】
本発明の実施形態は、衣類乾燥機に関する。
【背景技術】
【０００２】
衣類が収容された収容室内に温風を供給して乾燥させる衣類乾燥機においては、衣類から出るリント（糸くず）が機外に放散したり、熱交換器部分に進入したりすることを防止するために、風路中にリントを捕獲するフィルタを設けることが行われる。この場合、フィルタが目詰まりして風量が低下することを防止するために、ユーザが、付属のブラシを用いて定期的にフィルタの清掃作業を行い、フィルタに堆積したリントを取除くようにしている。また、従来の乾燥機においては、吸気口及び排気口に設けられたフィルタの清掃を自動で行うものも考えられていた（例えば特許文献１参照）。
【先行技術文献】
【特許文献】
【０００３】
【特許文献１】実開昭５８−１４５１９７号公報
【発明の概要】
【発明が解決しようとする課題】
【０００４】
例えばドラム式の洗濯乾燥機にあっては、乾燥室として機能する水槽の周りに、温風を循環させるための循環風路を設けると共に、この循環風路に、メインフィルタとバックアップフィルタとの二重構造を備えるリント捕獲部を設ける構成のものがある。このような二重構造のフィルタは、ユーザにとって清掃性の悪いものとなっていた。
【０００５】
そこで、二重構造のリント捕獲部を備えるものにあって、リント捕獲部のフィルタの清掃性の向上を図ることができる衣類乾燥機を提供する。
【課題を解決するための手段】
【０００６】
本実施形態の衣類乾燥機は、本体内に設けられ衣類が収容される収容槽と、前記収容槽に対し乾燥風路を通して温風を循環供給させる温風供給装置と、前記乾燥風路中に設けられリントを捕獲するフィルタを備えたリント捕獲部と、前記フィルタの表面に沿って清掃部材を移動させることにより、該フィルタに堆積したリントを掻き取る清掃動作を実行するフィルタ清掃機構とを備え、前記リント捕獲部のフィルタは、メインフィルタ及びバックアップフィルタの二重構造を備えており、前記フィルタ清掃機構は、少なくとも前記メインフィルタの清掃を行うように構成されている。
【図面の簡単な説明】
【０００７】
【図１】第１の実施形態を示すもので、洗濯乾燥機の外観斜視図
【図２】リント捕獲部部分の縦断側面図
【図３】リント捕獲部部分の縦断正面図
【図４】第２の実施形態に係るリント捕獲部部分の縦断正面図
【図５】第３の実施形態に係るリント捕獲部部分の縦断正面図
【発明を実施するための形態】
【０００８】
以下、洗濯機能及び乾燥機能を有するドラム式の洗濯乾燥機に適用したいくつかの実施形態について、図面を参照しながら説明する。尚、複数の実施形態間で共通する部分については、同一符号を付して、新たな図示や繰返しの説明を省略することとする。
【０００９】
（１）第１の実施形態
第１の実施形態について、図１から図３を参照しながら説明する。図１は、本実施形態に係る衣類乾燥機としてのドラム式の洗濯乾燥機の外観を示している。洗濯乾燥機の本体を構成する外箱１は、ほぼ矩形箱状をなし、底部に台板２が設けられている。外箱１の前面部には、ほぼ中央部に位置して、衣類が出し入れされる円形状の出入口３が設けられていると共に、その出入口３を開閉するため扉４が開閉可能に取付けられている。外箱１の前面部の上部には、操作パネル５が設けられていると共に、その左側に位置して洗剤投入ケース６が設けられている。
【００１０】
図示は省略するが、外箱１内には、周知のように、次のような機構が設けられている。即ち、外箱１内には、前面が開口したほぼ円筒状をなし前記出入口３に連通する水槽が設けられると共に、その水槽内に、衣類が収容される収容槽としてのドラムが設けられる。水槽は、台板２上に弾性支持機構を介して弾性的に支持されている。前記ドラムは、前記水槽よりもやや径小な円筒状をなし、その背面側中心部が、モータ等からなる駆動機構に接続されて回転駆動されるようになっている。また、外箱１内には、水槽の上方に位置して該水槽内へ給水するための給水機構が設けられている。水槽の後部の底部には排水口が設けられていて、この排水口に、排水弁を介して排水管が接続されている。
【００１１】
前記水槽には、前部の上面右寄り部位に空気の排出口が設けられていると共に、背面部の左寄り部位に空気の供給口が設けられている。そして、図２に一部示すように、外箱１内の前記水槽の外部には、前記ドラム内に乾燥用の温風を循環供給するための乾燥風路としての循環風路７が設けられている。この循環風路７の入口が水槽の前記排出口に接続され、出口が水槽の前記供給口に接続されている。
【００１２】
前記循環風路７は、全体としての詳しい図示は省略するが、前記水槽の排出口から上方に延びた後、後方に折曲がり、外箱１内の上部の右側辺部を後方に向けて延びている。このとき、循環風路７のうち後方に延びる部分を上部ダクト８と称し、図２及び図３に示すように、この上部ダクト８部分に、リント捕獲部９が設けられる。上部ダクト８は、断面矩形状をなし、リント捕獲部９の配置部分の上壁部に矩形開口部８ａが形成されている。リント捕獲部９の構成については後述する。循環風路７は、リント捕獲部９（上部ダクト８）から更に後方に延びた後、水槽の背面側を下方に折曲がって延び、Ｕ字状に折返されて前記水槽の供給口に接続されている。
【００１３】
この循環風路７の途中部の上部ダクト８よりも下流部に、除湿部及び温風供給装置が設けられる。前記除湿部は、例えば熱交換即ち水冷除湿により循環風に含まれる湿気を結露させて除湿を行うように構成されている。前記温風供給装置は、ファン装置及びヒータを備えて構成されている。これにて、乾燥運転時に温風供給装置が駆動されると、水槽内の空気が、排出口から循環風路７内に吸込まれ、図２に矢印Ａで示すように、上部ダクト８のリント捕獲部９を通って後方に流れ、除湿部で除湿された後、ヒータで加熱され、温風となって供給口から水槽内に供給されるといった循環を行う。このとき、循環風がリント捕獲部９を通る際に、リント（糸くず）が捕獲されるようになっている。
【００１４】
さて、リント捕獲部９及びその周辺の構成について、主として図２及び図３を参照して述べる。ここで、図２、図３に示すように、前記外箱１の上面部には、前記上部ダクト８の矩形開口部８ａの上方に連通するように、該矩形開口部８ａよりも一回り大きい上面開口部１ａが形成されている。その上面開口部１ａと矩形開口部８ａとの間は、段差部１ｂを介して繋がった形態とされている。前記リント捕獲部９は、大きく分けて、上部ダクト８の矩形開口部８ａの内側に固定的に設けられる固定側フィルタ保持板１０と、この固定側フィルタ保持板１０に対して上方（上面開口部１ａ）から着脱可能に設けられるフィルタユニット１１とを有して構成されている。
【００１５】
そのうち固定側フィルタ保持板１０は、合成樹脂から、矩形板状の底面部と、その後辺から上方に直角に立上がる矩形板状の背面部とを一体に有した板状に構成されている。このとき、この固定側フィルタ保持板１０には、底面部から背面部にかけて開口部１０ａが形成されていると共に、その開口部１０ａを塞ぐようにして、例えば不織布から構成されたバックアップフィルタ１２が、側面Ｌ字状をなすように設けられている。この固定側フィルタ保持板１０は、背面部の上端を、上部ダクト８の矩形開口部８ａの後辺部に一致させ、底面部が、上部ダクト８の底面部からやや浮き上がった状態で取付けられている。これにて、固定側フィルタ保持板１０は上部ダクト８左右の側壁と共に、上面開口部１ａの下部（内部）にフィルタユニット１１が収容される空間を形成するようになっている。
【００１６】
前記フィルタユニット１１は、下半部に位置する合成樹脂製のホルダ部１３と、上半部に位置するやはり合成樹脂製の蓋部１４とを一体に有している。ホルダ部１３は、前面が開口し、背面が後方に傾斜した形態の、側面逆台形状の薄型矩形箱状をなしている。そして、ホルダ部１３には、底面部から背面部にかけて開口部１３ａが形成されていると共に、その開口部１３ａを塞ぐようにして、例えば不織布から構成されたメインフィルタ１５が、側面逆ヘ字状をなすように設けられている。尚、図３に示すように、前記バックアップフィルタ１２とメインフィルタ１５とは、左右方向の幅寸法が同じになるように設けられている。
【００１７】
前記蓋部１４は、周壁部全体が前記上面開口部１ａの段差部１ｂに対応した段差状に構成された薄型矩形箱状をなし、ホルダ部１３の上端に一体に接続されている。このとき、蓋部１４の上面には、やや横長な矩形状をなす手掛け用の穴部１４ａが形成されていると共に、その穴部１４ａを閉塞するフラップ１６が開閉可能に設けられている。また、蓋部１４の下面部の周縁部には、蓋部１４が段差部１ｂ内に嵌め込まれた状態で、上部ダクト８の矩形開口部８ａとの間を密に閉塞するためのパッキン１７が設けられている。
【００１８】
このように構成されたリント捕獲部９にあっては、図２、図３に示すように、通常時（使用時）には、蓋部１４が段差部１ｂ内に嵌め込まれていることにより、フィルタユニット１１が上部ダクト８内の固定側フィルタ保持板１０の上方に収容されている。この収容状態では、ホルダ部１３の前面開口が、循環風路７に連続している。これにて、図２に示すように、循環風路７を矢印Ａ方向に流れる温風が、ホルダ部１３内からメインフィルタ１５を通って、ホルダ部１３と固定側フィルタ保持板１０との間の隙間に至り、更にバックアップフィルタ１２を通った後、上部ダクト８を通して下流側に流れる。
【００１９】
このとき、温風に含まれていたリントがメインフィルタ１５の上面にて捕獲され、もし一部のリントがメインフィルタ１５に捕獲されずに通過した場合でも、そのリントはバックアップフィルタ１２の上面にて捕獲される。つまり、リント捕獲部９は、メインフィルタ１５及びバックアップフィルタ１２の二重構造のフィルタを備えている。尚、ユーザは、洗濯乾燥機の停止状態で、蓋部１４の手掛け用の穴部１４ａに手を掛けて持ち上げることにより、フィルタユニット１１を外箱１から取外すことができる。
【００２０】
そして、本実施形態では、図２、図３に示すように、外箱１内のリント捕獲部９部分には、メインフィルタ１５及びバックアップフィルタ１２の清掃を行うためのフィルタ清掃機構１８が設けられている。図３に示すように、フィルタ清掃機構１８は、メインフィルタ１５を清掃するための第１清掃部材１９、バックアップフィルタ１２を清掃するための第２清掃部材２０、それらを同時に駆動するための駆動機構２１を備える。
【００２１】
第１清掃部材１９は、メインフィルタ１５の側面形状に対応した側面から見て逆ヘ字型のブラシ状をなし、細幅板状の台板部１９ａと、その台板部１９ａの下面側に植毛された多数本の毛の束からなる植毛部１９ｂとを有して構成されている。更に、前記台板部１９ａの前後方向の中央部分には、左方向に細長く延びる棒状の第１シャフト部２２が接続されている。この第１清掃部材１９は、メインフィルタ１５の上面に沿って左右方向に移動することにより、植毛部１９ｂによりメインフィルタ１５の表面（上面）に堆積したリントを掻き取るように設けられている。尚、前記植毛部１９ｂの毛の太さは、メインフィルタ１５の網目の大きさよりも大きく構成されている。
【００２２】
同様に、第２清掃部材２０は、バックアップフィルタ１２の側面形状に対応した側面から見てＬ字型のブラシ状をなし、細幅板状の台板部２０ａと、その台板部２０ａの下面側に植毛された多数本の毛の束からなる植毛部２０ｂとを有して構成されている。更に、前記台板部２０ａの前後方向の中央部分には、左方向に細長く延びる棒状の第２シャフト部２３が接続されている。この第２清掃部材２０は、バックアップフィルタ１２の上面に沿って左右方向に移動することにより、植毛部２０ｂによりバックアップフィルタ１２の表面（上面）に堆積したリントを掻き取るように設けられている。尚、前記植毛部２０ｂの毛の太さは、バックアップフィルタ１２の網目の大きさよりも大きく構成されている。
【００２３】
また本実施形態では、図３に示すように上部ダクト８には、右側壁部の一部が右方に膨出するようにして、リント回収部２４が設けられている。このリント回収部２４は、前記メインフィルタ１５及びバックアップフィルタ１２に捕獲されたリントを回収するための部屋からなる。リント回収部２４は、ホルダ部１３と固定側フィルタ保持板１０との間の隙間、つまりバックアップフィルタ１２の上部空間がそのリント回収部２４に連通すると共に、前記ホルダ部１３の右側壁部に形成され前記第１清掃部材１９が通過可能な右挿通孔１３ｂを介してホルダ部１３内、つまりメインフィルタ１５の上部空間と連通するように構成されている。
【００２４】
さらに、リント回収部２４内には、前記第１清掃部材１９からリントを払い落とすための第１の回収用ブラシ２５が設けられていると共に、前記第２清掃部材２０からリントを払い落とすための第２の回収用ブラシ２６が設けられている。これら第１の回収用ブラシ２５及び第２の回収用ブラシ２６は、夫々、上向きの植毛部２５ａ及び２６ａを有するブラシ状をなし、前記第１清掃部材１９の植毛部１９ｂ及び第１清掃部材２０の植毛部２０ｂとこすれ合うことによりリントを払い落とすように設けられている。
【００２５】
このとき、これら回収用ブラシ２５及び２６の植毛部２５ａ及び２６ａの毛の硬さは、前記清掃部材１９及び２０を構成する植毛部１９ｂ及び２０ｂの毛の硬さよりも、柔軟に構成されている。また、回収用ブラシ２５及び２６の植毛部２５ａ及び２６ａは、清掃部材１９及び２０から払い落とされたリントが、前記リント回収部２４に落下する方向に傾斜、この場合、上（先端）側が図で右側に傾斜するように配置されている。図１にも示すように、前記リント回収部２４は、前記外箱１の右側壁部に、溜まったリントを排出するための排出口２４ａを有し、この排出口２４ａは、例えばＡＳ樹脂やアクリル樹脂等の透明材料からなる蓋２７により外側から開閉可能に塞がれている。
【００２６】
前記第１清掃部材１９の第１シャフト部２２及び第２清掃部材２０の第２シャフト部２３は、基端側（図３で左端側）で一体的に連結された状態で、前記駆動機構２１に接続されている。詳しく図示はしないが、駆動機構２１は、モータ及びラック・ピニオン機構等を備え、前記第１シャフト部２２及び第２シャフト部２３を介して、第１清掃部材１９及び第２清掃部材２０を同時に左右方向（矢印Ｂ、矢印Ｃ方向）に移動させるように構成されている。
【００２７】
このとき、図３に示すように、前記上部ダクト８の右側壁部には、前記第１清掃部材１９及び第２清掃部材２０が収容される、つまりメインフィルタ１５及びバックアップフィルタ１２の上面から左方に退避される収容凹部８ｂが形成されている。尚、ホルダ部１３の左側壁部にも、前記第１清掃部材１９が通過可能な左挿通孔１３ｃが形成されている。フィルタ清掃機構１８が動作していない通常時には、図３に実線で示すように、第１清掃部材１９及び第２清掃部材２０は、収容凹部８ｂ内に配置されている。この図３の第１清掃部材１９及び第２清掃部材２０の位置を待機位置と称する。
【００２８】
駆動機構２１は、第１清掃部材１９及び第２清掃部材２０を、上記待機位置から、図３に想像線で示すように、前記リント回収部２４内である最大移動位置まで右左方向（矢印Ｂ及び矢印Ｃ方向）に往復移動させ、以て、清掃動作が行われるようになっている。第１清掃部材１９及び第２清掃部材２０の往復移動は１回又は複数回行われる。
【００２９】
この清掃動作により、第１清掃部材１９がメインフィルタ１５の上面に堆積したリントを掻き取り、更に、第１清掃部材１９に付着していたリントが、第１の回収容ブラシ２５によりリント回収部２４に払い落とされる。これと同時に、第２清掃部材２０がバックアップフィルタ１２の上面に堆積したリントを掻き取り、更に、第２清掃部材２０に付着していたリントが、第２の回収容ブラシ２６によりリント回収部２４に払い落とされる。その後、第１清掃部材１９及び第２清掃部材２０は、待機位置に戻される。
【００３０】
図示はしないが、外箱１内には、洗濯乾燥機全体を制御する制御装置が設けられている。この制御装置は、マイクロコンピュータを主体として構成され、ユーザによる操作パネル５の設定入力等に基づき、制御プログラムに従って、各機構を制御し、洗濯運転及び乾燥運転を自動で実行する。このとき、制御装置は、前記フィルタ清掃機構１８（駆動機構２１）を制御する制御手段とし機能し、例えば乾燥運転の終了時に、フィルタ清掃機構１８により清掃動作が自動で実行するようになっている。尚、清掃動作を、ユーザによる操作パネル５のボタン操作によって行うようにしても良い。
【００３１】
次に、上記構成の作用について述べる。衣類の乾燥（或いは洗濯及び乾燥）を行う場合に、ユーザは、ドラム内に衣類を収容し、操作パネル５にて所望のコース設定等を行った上で、運転をスタートさせる。すると、制御装置は、除湿部及び温風供給装置を動作させると共に、ドラムを例えば間欠的に回転させることにより、乾燥運転を実行する。これにて、上記したように、水槽内の空気が、排出口から循環風路７内に吸込まれ、図２に矢印Ａで示すように、上部ダクト８のリント捕獲部９を通る。
【００３２】
このとき、水槽内から循環風路７内に吸込まれた空気には、衣類から出たリント（糸くず）が含まれるが、そのリントはメインフィルタ１５により捕獲される。メインフィルタ１５に捕獲されずに通過したリントがあった場合でも、そのリントはバックアップフィルタ１２により捕獲される。その後、空気は上部ダクト８から更に循環風路７を流れ、除湿部で除湿された後、ヒータで加熱され、温風となって供給口から水槽内に供給されるといった循環を行う。これにて、水槽内の衣類の乾燥が行われる。
【００３３】
ここで、メインフィルタ１５及びバックアップフィルタ１２に捕獲されたリントが、それらフィルタ１５、１２の表面に堆積すると、フィルタ１５、１２が目詰まりして風量が低下する虞がある。そこで、本実施形態では、乾燥運転が終了すると、制御装置は、フィルタ清掃機構１８の駆動機構２１を制御し、上記したように、第１清掃部材１９及び第２清掃部材２０による清掃動作を自動で実行させる。
【００３４】
この清掃動作が実行されることにより、上記したように、メインフィルタ１５の上面に堆積していたリントが第１清掃部材１９により掻き取られる。更に第１清掃部材１９に付着していたリントが、第１の回収容ブラシ２５とこすれ合わされることによってリント回収部２４に払い落とされる。これと共に、バックアップフィルタ１２の上面に堆積していたリントが第２清掃部材２０により掻き取られる。更に第２清掃部材２０に付着していたリントが、第２の回収容ブラシ２６とこすれ合わされることによってリント回収部２４に払い落とされる。
【００３５】
これにて、メインフィルタ１５及びバックアップフィルタ１２に捕獲されていたリントがリント回収部２４に回収されるので、メインフィルタ１５及びバックアップフィルタ１２のリント捕獲機能が回復され、常に大きな風量を維持することができるのである。第１清掃部材１９及び第２清掃部材２０についても、リントが堆積することがなく、常にクリーンな状態としておくことができる。尚、ユーザは、透明な蓋２７からリント回収部２４内のリントがどれくらい溜まったかの状態を目視で確認することができる。リント回収部２４にリントがある程度溜まった場合には、ユーザは、蓋２７を開け、手で或いは掃除機等を利用して、リント回収部２４のリントを容易に廃棄することができる。
【００３６】
このように本実施形態によれば、次のような効果を得ることができる。即ち、メインフィルタ１５及びバックアップフィルタ１２の二重構造のリント捕獲部９を備えるものにあって、それらフィルタ１５、１２の清掃動作を実行するフィルタ清掃機構１８を設けた。これにより、メインフィルタ１５及びバックアップフィルタ１２の清掃性の向上を図ることができ、それらの目詰りひいては温風の風量が低下することを防止することが可能となる。
【００３７】
特に本実施形態では、フィルタ清掃機構１８による清掃動作が自動で実行されるので、ユーザがブラシを用いて清掃する場合と比べて、フィルタ掃除の手間を大幅に軽減することができる。また、フィルタ清掃機構１８は、メインフィルタ１５及びバックアップフィルタ１２の双方を同時に清掃するように構成されているので、効率的な清掃動作が可能となる。
【００３８】
しかも、清掃部材１９、２０はブラシ状をなし、それらの植毛部１９ｂ、２０ｂの毛の太さは、フィルタ１５、１２の網目の大きさよりも大きいので、清掃部材１９、２０のブラシの毛が、フィルタ１５、１２の網目に引っ掛かってしまう、或いはリントをフィルタ１５、１２の網目に押込んでしまうことを未然に防止でき、清掃部材１９、２０の良好な状態を維持することができる。
【００３９】
更に、本実施形態では、リントを回収するためのリント回収部２４を設けると共に、該リント回収部２４に回収用ブラシ２５、２６を設けるようにしたので、清掃部材１９、２０をクリーンな状態に保つことができる。リント回収部２４に溜まったリントを、リント回収部２４から容易に廃棄することが可能となる。
【００４０】
このとき、回収用ブラシ２５、２６の植毛部２５ａ、２６ａの毛の硬さを、清掃部材１９、２０の毛の硬さよりも柔軟に構成したので、回収用ブラシ２５、２６からリントが容易に離れるようになり、リント回収部２４におけるリントの回収を容易且つ確実に行うことができる。回収用ブラシ２５、２６の植毛部２５ａ、２６ａを傾斜させて設けたので、清掃部材１９、２０からリントを払い落とす際に、リント回収部２４内にリントを効果的に落下させることができる。
【００４１】
（２）第２、第３の実施形態、その他の実施形態
図４は、第２の実施形態を示すもので、上記第１の実施形態と異なる点は、メインフィルタ１５及びバックアップフィルタ１２の清掃動作を実行するフィルタ清掃機構３１の構成にある。このフィルタ清掃機構３１は、メインフィルタ１５を清掃するための第１清掃部材１９と、バックアップフィルタ１２を清掃するための第２清掃部材２０を備えるのであるが、それら第１清掃部材１９及び第２清掃部材２０を自動で移動させるための駆動機構２１に代えて、手動で駆動するためのハンドル３２を備えている。
【００４２】
即ち、第１清掃部材１９の第１シャフト部２２及び第２清掃部材２０の第２シャフト部２３は、基端側で一体的に連結された状態で、前記ハンドル３２に接続されている。このとき、前記外箱１の上面に左右方向に延びてスリット状のスライド孔部３３が形成されており、ハンドル３２は、その上端部の操作部３２ａが、スライド孔部３３から上方に突出配置されている。
【００４３】
これにて、ユーザは、ハンドル３２をスライド孔部３３に沿って左右方向に移動操作することにより、第１清掃部材１９及び第２清掃部材２０を、待機位置から、リント回収部２４内の最大移動位置まで右左方向（矢印Ｂ及び矢印Ｃ方向）に同時に往復移動させることが可能とされている。この場合、ユーザは、任意の時期に、ハンドル３２を移動操作することにより、メインフィルタ１５及びバックアップフィルタ１２の清掃動作を実行することができる。
【００４４】
この第２の実施形態によれば、メインフィルタ１５及びバックアップフィルタ１２の清掃動作を実行するフィルタ清掃機構３１を設けた。従って、上記第１の実施形態と同様に、メインフィルタ１５及びバックアップフィルタ１２の清掃性の向上を図ることができ、それらの目詰りひいては温風の風量が低下することを防止することができる等の優れた効果を奏する。特に本実施形態では、第１清掃部材１９及び第２清掃部材２０を手動で移動させる構成としたため、比較的簡単で安価な構成で済ませることができる。
【００４５】
図５は、第３の実施形態を示すもので、フィルタ清掃機構４１の構成が上記第１の実施形態などと異なっている。このとき、リント捕獲部９は、メインフィルタ１５及びバックアップフィルタ１２の二重構造を備えるが、本実施形態のフィルタ清掃機構４１は、メインフィルタ１５の清掃を行うように構成されている。即ち、フィルタ清掃機構４１は、メインフィルタ１５を清掃するための第１清掃部材１９、その第１シャフト部２２に連結された駆動機構２１を備える。また、リント回収部４２は、ホルダ部１３の右側壁部の側方、つまりメインフィルタ１５の上部空間のみに連通しており、第１清掃部材１９からリントを払い落とすための第１の回収用ブラシ２５を備えている。
【００４６】
この構成によれば、フィルタ清掃機構４１によりメインフィルタ１５の清掃動作を自動で実行することができる。従って、メインフィルタ１５の清掃性の向上を図ることができ、目詰りひいては温風の風量が低下することを防止することができる等の優れた効果を奏する。この場合、リントがより堆積するのはメインフィルタ１５側で、バックアップフィルタ１２側にはさほどリントが堆積することはない。そのため、少なくともメインフィルタ１５の清掃を行うことにより、目詰りのない状態を長期間維持することができる。
【００４７】
尚、上記した各実施形態に限定されるものではなく、図示は省略するが、例えば以下のような拡張、変更も可能である。即ち、上記第１の実施形態では、乾燥運転の終了時にフィルタ清掃機構を動作させるようにしたが、フィルタ１５、１２（特にメインフィルタ１５）の目詰り状態を判定する目詰り判定手段を設け、目詰り判定手段によりフィルタの目詰りが大きくなったと判定されたときに、制御手段がフィルタ清掃機構１８、４１を制御して清掃動作を自動で実行させる構成としても良い。これにより、必要時に清掃動作を確実に実行することができ、不要な清掃動作を行うことを防止できる。
【００４８】
このとき、上記目詰り判定手段としては、例えば風量経路中に圧力センサを設け、検出圧力が例えばしきい値より大きい場合に、フィルタの目詰りによって風量が低下したと判定することができる。或いは、送風ファン用のモータの電流値を検出して、モータ電流値か所定値以下に下がった場合に、フィルタの目詰りによってモータ回転数が上がったと判断することができる。
【００４９】
また、上記各実施形態では、第１清掃部材１９及び第２清掃部材２０をブラシ状としたが、ゴムヘラ状のもの、スポンジ状のもの、繊維を束ねたモップ状のものなどであっても良い。清掃部材を自動で移動させる駆動機構としても、ソレノイド等を用いる構成としても良い。更に、駆動機構として、第１清掃部材と第２清掃部材とを個別に駆動させる構成としても良い。上記各実施形態では、リント回収部２４、４２をいわば独立した部屋として構成したが、フィルタが配設されている空間の一部（フィルタ面をそのまま延長した面）を、清掃部材により回収したリントを溜めるリント回収部とすることも可能である。リント回収部に、リント廃棄用の袋を着脱可能にセットできる構成としても良い。
【００５０】
その他、洗濯乾燥機としては、ドラム式のものに限らず、水槽および回転槽の軸線が上下方向に指向する、いわゆる縦軸型のものでも良い。また、衣類乾燥機としては、洗濯機能を備えていない構成のものでも良い。また、除湿手段としてヒートポンプ（冷凍サイクル）を備えるものであっても良いし、除湿手段を備えない温風供給装置としても良い。乾燥風路の構成としても様々な変更が可能である等、要旨を逸脱しない範囲内で適宜変更して実施し得るものである。
【符号の説明】
【００５１】
図面中、１は外箱、７は循環風路（乾燥風路）、８は上部ダクト、９はリント捕獲部、１０は固定側フィルタ取付板、１１はフィルタユニット、１２はバックアップフィルタ、１３はホルダ部、１４は蓋部、１５はメインフィルタ、１８、３１、４１はフィルタ清掃機構、１９は第１清掃部材、２０は第２清掃部材、１９ｂ、２０ｂは植毛部、２１は駆動機構、２４、４２はリント回収部、２５は第１回収容ブラシ、２６は第２回収容ブラシ、２５ａ、２６ａは植毛部、３２はハンドルを示す。
【図１】
2017196271.tif 000003
【図２】
2017196271.tif 000004
【図３】
2017196271.tif 000005
【図４】
2017196271.tif 000006
【図５】
2017196271.tif 000007